(57)【要約】【課題】ＩＣタグを簡単に装着することができ、さらに情報の更新が容易にできる識別情報付きケーブルとケーブルへの識別情報付与方法を提供する。【解決手段】長手方向に任意の間隔で複数のＩＣタグ１２を装着した、紐状、テープ状もしくはシート状の担体１４を、ケーブル本体１６の外周に巻き付けもしくは縦添えしたものである。また、複数のＩＣタグ１２を長手方向に任意の間隔で装着した、紐状もしくはテープ状の担体１４を、布設した状態のケーブルの外周に巻き付けもしくは縦添えすることによりケーブルに識別情報を付与する方法である。ケーブル本体１６の製造時にＩＣタグ１２をケーブル本体１６に取り付ける必要がなく、ケーブル製造の煩雑さを回避できる。既存のケーブルにも適用できる。【選択図】図１
2005347137.tif 000002
【特許請求の範囲】
【請求項１】
複数のＩＣタグを長手方向に任意の間隔で装着した担体を、ケーブル本体の外周に巻き付けもしくは縦添えしてなることを特徴とする識別情報付きケーブル。
【請求項２】
請求項１記載の識別情報付きケーブルにおいて、
前記担体は、紐状、テープ状、シート状のいずれかの形状であり、前記ケーブル本体の長手方向に沿って断続的に設けられたものであることを特徴とする識別情報付きケーブル。
【請求項３】
請求項１又は２記載の識別情報付きケーブルにおいて、
前記複数本の担体を、前記ケーブル本体の周方向に適当な間隔を置いて配列された状態で縦添えしたことを特徴とする識別情報付きケーブル。
【請求項４】
請求項１ないし３のいずれかに記載の識別情報付きケーブルにおいて、
前記担体は、絶縁材料によりテープ状もしくはシート状に形成すると共に、前記ＩＣタグを挟み込み一体化したものであることを特徴とする識別情報付きケーブル。
【請求項５】
請求項１ないし３のいずれかに記載の識別情報付きケーブルにおいて、
前記担体を、前記ＩＣタグを装着した面を内側にして、前記ケーブル本体の外周に巻き付けもしくは縦添えしたことを特徴とする識別情報付きケーブル。
【請求項６】
請求項１ないし５のいずれかに記載の識別情報付きケーブルにおいて、
前記ＩＣタグは、絶縁材料からなる前記担体に、導電材料を印刷してアンテナを構成し、前記アンテナにＩＣチップを接続したものであることを特徴とする識別情報付きケーブル。
【請求項７】
請求項６記載の識別情報付きケーブルにおいて、
前記印刷されたアンテナに対する、前記ＩＣタグのアンテナとの接続部分を突起体とし、
前記突起体を、前記アンテナに突き通すようにして前記アンテナに接続したことを特徴とする識別情報付きケーブル。
【請求項８】
複数のＩＣタグを長手方向に任意の間隔で装着した担体を、布設した状態のケーブルの外周に巻き付けもしくは縦添えすることを特徴とするケーブルへの識別情報付与方法。
【請求項９】
複数のＩＣタグを長手方向に任意の間隔で装着した担体を、布設した状態のケーブルの外周に巻き付けもしくは縦添えしたものに対して、
前記担体を、新たな情報を記録したＩＣタグを装着した新たな担体に交換することを特徴とするケーブルへの識別情報付与方法。
【請求項１０】
請求項８又は９に記載のケーブルへの識別情報付与方法において、
前記複数の各ＩＣタグに記録された情報は、相互に所定の関連性を有する情報であって、
前記ケーブルの布設場所により内容の異なる情報であることを特徴とするケーブルへの識別情報付与方法。
【請求項１１】
長手方向に任意の間隔で複数のＩＣタグを装着した担体を、布設した状態のケーブルの外周に巻き付けるにあたり、
１ピッチ間に複数のＩＣタグが配置されるようにすることを特徴とするケーブルへの識別情報付与方法。
【発明の詳細な説明】
【技術分野】
【０００１】
本発明は、ＩＣタグを利用した識別情報付きケーブルとケーブルへの識別情報付与方法に関する。
【背景技術】
【０００２】
従来、ケーブルの記号又は符号その他の識別標識等の情報は、ケーブルの外装又は内部の絶縁体や防食層等に印刷等により設けられていた。しかしながら、印刷では情報量が限られることから、印刷してある記号等について製造メーカに問い合せる手間が掛かっていた。また、長期間に亘って風雨に晒されると記号が読みずらくなる等の問題が生じていた。
【０００３】
近年、ケーブル絶縁体表面あるいは絶縁体中に、識別情報を記録できるＩＣタグを配設した識別情報付きケーブルが案出されている。ＩＣタグにはケーブル製造者、製造年月日、規格等の情報が記録され、ケーブルの保守管理に利用している（特許文献１参照）。
【特許文献１】特開２００３−２０３５２７号公報
【発明の開示】
【発明が解決しようとする課題】
【０００４】
ここで、従来の識別情報付きケーブルには、次のような解決すべき課題があった。
従来のＩＣタグ付きケーブルは、ケーブル製造時に、ＩＣタグをケーブル絶縁体やその上の保護被覆層に埋め込んだり、表面に貼り付けたりして取り付けられているものである。このため、ケーブルの製造工程にＩＣタグの取付け工程が加わって全製造工程が煩雑になり、また、布設後はＩＣタグに記録された情報の更新が実質的にできない等の不都合があった。
【０００５】
本発明は以上の課題を解決するためになされたもので、ＩＣタグを簡単に装着することができ、さらに情報の更新が容易にできる識別情報付きケーブルとケーブルへの識別情報付与方法を提供することを目的とする。
【課題を解決するための手段】
【０００６】
本発明の各実施例においては、それぞれ次のような構成により上記の課題を解決する。
〈構成１〉
複数のＩＣタグを長手方向に任意の間隔で装着した担体を、ケーブル本体の外周に巻き付けもしくは縦添えしてなることを特徴とする識別情報付きケーブル。
【０００７】
ＩＣタグはＩＣチップとアンテナを含むものであり、ＩＣチップにケーブルの製造履歴、出荷管理データ、リサイクルの方法等の情報が記録されている。ケーブル製造あるいは出荷時に、これらの情報を記録することにより、最終的なリサイクルの段階まで履歴が確認できる。また、材質の違いによるリサイクルの方法を読み取ることにより最適な処理の判断が瞬時に可能となる。
ケーブル本体とは、通信ケーブルや配電用ケーブル等の電気ケーブルであり、担体を除いた構造体を示すものである。通信ケーブルや配電用ケーブル等のケーブルの外周面にＩＣタグを固定しておくと、ケーブルの製品情報を記録して、いつでも確認できる。また、ケーブルの長手方向に任意の間隔で複数のＩＣタグを固定しておくと、ケーブルが現場に布設された後でも、任意の場所でケーブルに関する情報を取得できる。ＩＣタグを備えた担体を利用すると、ケーブル本体の製造時にＩＣタグをケーブル本体に取り付ける必要がなく、ケーブル製造の煩雑さを回避できる。担体へのＩＣタグの固定は比較的容易で製造コストへの影響は少ない。したがって、ケーブルのコストアップも防止でき、既存のケーブルにも適用できる。
【０００８】
〈構成２〉
構成１記載の識別情報付きケーブルにおいて、上記担体は、紐状、テープ状、シート状のいずれかの形状であり、上記ケーブル本体の長手方向に沿って断続的に設けられたものであることを特徴とする識別情報付きケーブル。
【０００９】
担体はケーブル本体の全長に亘って設ける必要はなく、状況に応じてケーブル本体の一部に設けられてもよい。
【００１０】
〈構成３〉
構成１又は２記載の識別情報付きケーブルにおいて、上記複数本の担体を、上記ケーブル本体の周方向に適当な間隔を置いて配列された状態で縦添えしたことを特徴とする識別情報付きケーブル。
【００１１】
複数本の担体がケーブル本体の周囲に配列されていることにより、ケーブル本体周囲のどの方向からでもＩＣタグと通信できる。したがって、ケーブル本体の影に隠れて電波が遮蔽されて通信できないという問題を解消できる。
【００１２】
〈構成４〉
構成１ないし３のいずれかに記載の識別情報付きケーブルにおいて、上記担体は、絶縁材料によりテープ状もしくはシート状に形成すると共に、上記ＩＣタグを挟み込み一体化したものであることを特徴とする識別情報付きケーブル。
【００１３】
ＩＣタグが担体により外界から遮蔽された状態であるから、担体がＩＣタグの保護材としての機能も果たすことになる。
【００１４】
〈構成５〉
構成１ないし３のいずれかに記載の識別情報付きケーブルにおいて、上記担体を、上記ＩＣタグを装着した面を内側にして、上記ケーブル本体の外周に巻き付けもしくは縦添えしたことを特徴とする識別情報付きケーブル。
【００１５】
ＩＣタグが担体により外界から遮蔽された状態となるから、担体がＩＣタグの保護材としての機能も果たす。
【００１６】
〈構成６〉
構成１ないし５のいずれかに記載の識別情報付きケーブルにおいて、上記ＩＣタグは、絶縁材料からなる上記担体に、導電材料を印刷してアンテナを構成し、上記アンテナにＩＣチップを接続したものであることを特徴とする識別情報付きケーブル。
【００１７】
担体へのＩＣタグの組み込みが簡単な構成である。
アンテナの印刷は、オフセット印刷、スクリーン印刷、インクジェット印刷、レーザ蒸着等の公知手段を、ケーブル本体の寸法や絶縁被覆の材質に応じて適宜選択してなされる。導電材料には導電性接着剤が使用されてもよい。
【００１８】
〈構成７〉
構成６記載の識別情報付きケーブルにおいて、上記印刷されたアンテナに対する、上記ＩＣタグのアンテナとの接続部分を突起体とし、上記突起体を、上記アンテナに突き通すようにして上記アンテナに接続したことを特徴とする識別情報付きケーブル。
【００１９】
ＩＣタグとアンテナとを簡単かつ堅固に接続できる。
【００２０】
〈構成８〉
複数のＩＣタグを長手方向に任意の間隔で装着した担体を、布設した状態のケーブルの外周に巻き付けもしくは縦添えすることを特徴とするケーブルへの識別情報付与方法。
【００２１】
担体は紐状、テープ状、シート状のいずれの形状でもよい。布設後のケーブルに対して、いつでもＩＣタグをその長手方向に任意の間隔で取り付けることができ、ケーブルへの識別情報を簡単に付与できる。
【００２２】
〈構成９〉
複数のＩＣタグを長手方向に任意の間隔で装着した担体を、布設した状態のケーブルの外周に巻き付けもしくは縦添えしたものに対して、上記担体を、新たな情報を記録したＩＣタグを装着した新たな担体に交換することを特徴とするケーブルへの識別情報付与方法。
【００２３】
ケーブルに識別情報等を記録しておくと、布設後の変更は不可能である。この発明では、担体を交換することで、ケーブル全長にわたって識別情報を一気に交換することができる。また、情報の書き換え可能なＩＣタグを取り付けるよりも書き換えコストが安くなる。担体は紐状、テープ状、シート状のいずれの形状でもよい。
【００２４】
〈構成１０〉
構成８又は９に記載のケーブルへの識別情報付与方法において、上記複数の各ＩＣタグに記録された情報は、相互に所定の関連性を有する情報であって、上記ケーブルの布設場所により内容の異なる情報であることを特徴とするケーブルへの識別情報付与方法。
【００２５】
例えば、各ＩＣタグに一連の番号情報を順次に付与しておけば、任意のＩＣタグの番号情報を読み取ることによって、そのＩＣタグが取り付けられた場所はケーブルのどの部分かを即座に判断もしくは確認できる。
【００２６】
〈構成１１〉
長手方向に任意の間隔で複数のＩＣタグを装着した担体を、布設した状態のケーブルの外周に巻き付けるにあたり、１ピッチ間に複数のＩＣタグが配置されるようにすることを特徴とするケーブルへの識別情報付与方法。
【００２７】
例えば、複数本のケーブルを並列配置して一束にして布設されて大きな外径となっているケーブル群に、担体を巻き付けたとき、１ピッチ間に複数のＩＣタグがあるので、どの方向からでもＩＣタグと通信できる。したがって、ケーブルの影に隠れて電波が遮蔽されて通信できないという問題を解消できる。担体は紐状、テープ状、シート状のいずれの形状でもよい。
【発明を実施するための最良の形態】
【００２８】
以下、本発明の実施の形態を実施例ごとに詳細に説明する。
【実施例１】
【００２９】
図１は実施例１の識別情報付きケーブルを示す説明図、図２はＩＣタグを装着した担体を示す説明図、図３は識別情報付きケーブルの他の例を示す説明図である。
実施例１の識別情報付きケーブルは、図１（ａ）に示すように、複数のＩＣタグ１２を装着した担体１４を、ケーブル本体１６の外周に適宜ピッチで巻き付けたものである。あるいは、図１（ｂ）に示すように、担体１４を、ケーブル本体１６の外周面に縦添えしたものである。
【００３０】
ここで、ケーブル本体１６とは、通信ケーブルや配電用ケーブル等の電気ケーブルであり、担体１４を除いた構造体を示すものである。担体１４は、図２に示すように、複数のＩＣタグ１２を長手方向に任意の間隔で装着したもので、テープ状に形成されている。担体１４は、テープ状に限らず、紐状、シート状等の形状でもよい。ＩＣタグ１２にはケーブルの製品情報、例えば、製造履歴（材質、製造場所、製造年月日等）、出荷管理データ、リサイクルの方法等の識別情報が記録されている。
【００３１】
担体１４は、ケーブル本体の長手方向に沿って断続的に設けられてもよい。担体はケーブル本体の全長に亘って設ける必要はなく、状況に応じてケーブル本体の一部に設けられてもよいからである。あるいは、図３に示すように、担体１４は、複数本がケーブル本体１６の周方向に、適当な間隔を置いて配列された状態で縦添えされてもよい。
【００３２】
また、担体１４は、樹脂又はゴム等の絶縁材料によりテープ状もしくはシート状に形成してＩＣタグ１２を挟み込み一体化して構成したり、ＩＣタグを装着した面を内側にしてケーブル本体上に巻き付けもしくは縦添えして、ＩＣタグを外界から遮蔽して保護するようにしてもよい。
【００３３】
ＩＣタグ１２自体は、ＩＣチップ及びそのアンテナを含む、周知のものである。本発明のＩＣタグ１２は、例えば、樹脂又はゴム等の絶縁材料からなる担体１４に、アンテナを導電材料で印刷し、そのアンテナにＩＣチップを、導電性接着剤を用いて接続したものや、アンテナ付きＩＣチップを挟み込み一体化することにより構成されるものでもよい。
【００３４】
アンテナの印刷は、オフセット印刷、スクリーン印刷、インクジェット印刷、レーザ蒸着等の公知手段を、ケーブル本体１６の寸法や絶縁被覆の材質に応じて適宜選択してなされる。
アンテナとＩＣチップとの接続方法として、図４に示すように、ＩＣチップ１２Ａの、アンテナ１２Ｂとの接続部分に突起部１３を設けておき、この突起部１３をアンテナ１５の所定部分１５に突き通す形状の接続としてもよい。
【００３５】
ケーブル本体１６の外周面に、担体１４を介してＩＣタグ１２を配設し、このＩＣタグ１２にケーブルの製品情報等の識別情報を記録しておくことにより、いつでもこのケーブルに関する情報を確認できる。また、ケーブルの長手方向に任意の間隔で複数のＩＣタグ１２を配設しておくと、ケーブルが現場に布設された後でも、任意の場所でケーブルに関する情報を取得できる。
【００３６】
図５は、実施例１の担体１４への識別情報付与方法の説明図である。
担体１４に装着された多数のＩＣタグ１２に一定の規則性を持った識別情報を記録するために、テープ状の担体１４を、図示のようにＩＣタグ装着機１８に通してＩＣタグ１２を装着するようにする。ＩＣタグ装着機１８は、担体１４の被覆にＩＣタグ１２を貼り付けて固定すると同時に、識別番号書込み制御部１９から供給された一定の規則性を持つ識別番号をＩＣタグ１２の記憶装置に書き込む。こうして、担体１４には一定の規則性を持った識別情報の記録されたＩＣタグ１２が適当な間隔で装着される。
【００３７】
図６は、識別情報付きケーブルの他の例を示す説明図である。
図６において、この例の識別情報付きケーブルは、複数本のケーブルを並列配置し、これらを一束にしたケーブル群１７に、担体１４を巻き付けたとき、１ピッチ間に複数のＩＣタグ１２が配置されるようにしたものである。このように構成すると、ケーブルの影に隠れて電波が遮蔽されて通信できないということがなく、どの方向からでもＩＣタグ１２と通信できる。
ケーブル製造と並行して、担体１４に固定したＩＣタグ１２にそのケーブルの布設情報を記録する処理を実行する。
【００３８】
本発明は、複数のＩＣタグ１２を長手方向に任意の間隔で装着した、紐状もしくはテープ状の担体１４を、布設した状態のケーブルの外周に巻き付けもしくは縦添えするケーブルへの識別情報付与方法を含んでいる。
【００３９】
布設後のケーブルに対して、いつでもＩＣタグ１２をその長手方向に任意の間隔で取り付けることができ、ケーブルへの識別情報を簡単に付与できる。
【００４０】
また、本発明は、長手方向に任意の間隔で複数のＩＣタグ１２を装着した、紐状もしくはテープ状の担体１４を、布設した状態のケーブルの外周に巻き付けもしくは縦添えしたものに対して、担体１４を新たな情報を記録したＩＣタグ１２を装着した新たな担体１４に交換するようにしてもよい。
担体１４を交換することで、既設のケーブル全長にわたって識別情報を一気に交換することができる。また、情報の書き換え可能なＩＣタグ１２を取り付けるよりも書き換えコストが安くなる。
【００４１】
また、担体１４に配列された複数のＩＣタグ１２に記録された情報は、相互に所定の関連性を有する情報であって、ケーブルの布設場所により内容の異なる情報でもよい。例えば、ケーブルの製造番号や規格等の情報は勿論、例えば、ケーブルを布設した場所の近辺の情報や注意事項等を場所ごとに記録しておくこともできる。
【００４２】
担体１４上に配列された多数のＩＣタグ１２に、１、２、３、４、・・というような一連番号を付けておく処理ができる。例えば、多数のケーブルが束ねられて布設されているとき、その中間点で、ケーブルに縦添えされた担体１４上のＩＣタグ１２から情報を読み取る。これにより、そのケーブルは何処から何処まで布設されたものであって、今読み取ったＩＣタグ１２の場所はケーブルの端から何メートルくらいのところにあるかが直ぐに分かる。
【００４３】
また、ワイヤーハーネスに巻き付けると、各ケーブルの識別や接続関係を示す情報をＩＣタグ１２から取得できる。取得できる場所も限定されないので、例えば、電車やバスの車内の配線等をメンテナンス用の窓等から確認することが可能である。
【図面の簡単な説明】
【００４４】
【図１】実施例１の識別情報付きケーブルを示す説明図である。
【図２】実施例１で使用したＩＣタグを装着した担体を示す説明図である。
【図３】本発明の識別情報付きケーブルの他の例を示す説明図である。
【図４】アンテナとＩＣチップとの接続方法の説明図である。
【図５】実施例１で使用した担体への識別情報付与方法の説明図である。
【図６】本発明の識別情報付きケーブルの他の例を示す説明図で、（ａ）は斜視図、（ｂ）は横断面図である。
【符号の説明】
【００４５】
１２  ＩＣタグ
１４  担体
１６  ケーブル本体
１７  ケーブル群
１８  ＩＣタグ装着機
１９  識別番号書込み制御部
【図１】
2005347137.tif 000003
【図２】
2005347137.tif 000004
【図３】
2005347137.tif 000005
【図４】
2005347137.tif 000006
【図５】
2005347137.tif 000007
【図６】
2005347137.tif 000008